(57)【要約】【課題】従来のミュージックベル専用のケースは、ミュージックベル単体での保護・収納・運搬・保管が不可能であり、さらに、運搬時に騒音を発生させることがある。【解決手段】ベルカバー（１）は、筒状の布の上部開口部（１−１）に上部通路（１−３）を設けて固定紐（１−３Ａ）を通し、下方開口部（１−２）には下部通路（１−４）を設けてゴム紐（１−４Ａ）を通して伸縮性をもたせ、ミュージックベル上部から被せるだけで着脱できるようにする。ミュージックベル単体での保護ができ、必要数だけの収納・運搬・保管ができるようにする。さらにベルカバー（１）の下部開口部（１−２）をベル内側に折り込むことによって、運搬時の消音効果も得られるようにする。【選択図】図６
2017211624.tif 000002
【特許請求の範囲】
【請求項１】
上部開口部（１−１）と下部開口部（１−２）を設けた筒状の布からなるベルカバー（１）と、前記両開口部の全周に沿って紐を通すことができるように設けられた上部通路（１−３）及び下部通路（１−４）と、前記上部通路（１−３）に通される固定紐（１−３Ａ）と、前記下部通路（１−４）に通されるゴム紐（１−４Ａ）を備えたこと特徴とするミュージックベルのベルカバー。
【請求項２】
下部通路（１−４）に通されるゴム紐（１−４Ａ）が、伸長された時には下部開口部（１−２）がベル下端（２−６）を通すことのできる大きさ以上に拡張し、伸長する力を解放された時には下部開口部（１−２）の直径がベル下端（２−６）の直径よりも小さくなるようにし、ベルカバー（１）がベル下端（２−６）に当接する部分でベルカバー（１）をベル（２−３）の内側に折り込み、振り子（２−５）とベル（２−３）が接触することを防止することを特徴とする請求項１に記載のミュージックベルのベルカバー。
【発明の詳細な説明】
【技術分野】
【０００１】  ミュージックベルの保護・収納・運搬・演奏方法に関する。
【背景技術】
【０００２】  現在販売されているミュージックベルの収納・運搬・保管を目的としたケースは、ケース自体が大きく、さらにミュージックベルを１本１本の単体で収納・運搬・保管するのが困難であり、必要な音名のミュージックベルだけを特定し取り出すことに長時間を要する。
ミュージックベルは、一般的に２７本を１セットとしている。現在販売されているケースは、２７本を一括して収納するためのもので、はめ込み式のものやスタンド式のものが用意されている。
はめ込み式の収納ケースの場合、ミュージックベルを所定位置にはめ込むことに手間がかかり、また、スタンド式の収納ケースの場合、ミュージックベル同士が接触して傷がつく恐れがある。
現在販売されている２７本１セットのミュージックベルを収納するためのスタンド式のケースの大きさは、幅５５０ｍｍ奥行き２００ｍｍ高さ４５０ｍｍである。【０００３】  現在販売されているミュージックベルを収納するためのケースでは、運搬時の振動によって、ベル（２−３）に振り子（２−５）があたり騒音を発生させることがある。【０００４】  ミュージックベルは金属製で、サイズはベルとハンドルの固定部（２−２）からベル下端（２−６）まで約７０ｍｍであり、ベル下端（２−６）から内部の振り子（２−５）まで約３５ｍｍである。色は主に金色のミュージックベルと銀色のミュージックベルがある。見た目は全て同じ色・形・大きさであり、ミュージックベル本体（２）のハンドル（２−１）の上部に音名が書いてあるだけで、一見で音名を判断するのが難しい。
色づけされたカラーのミュージックベルもある。ベル（２−３）を色づけすることで音名を表しているため、一見でその音名が認識できるが、メーカーによってその色が異なるものがある。
ミュージックベルは、振り子（２−５）をベル（２−３）に当てることによって音が出る。つまり、振るだけで簡単に音が出るため、幼児や高齢者や障がい者のリハビリやトレーニングに用いられることもある楽器である。
しかし、上記理由によって、いざ演奏となると、音名がわからなければ、振るタイミングがわかりにくい。そのため、年齢・経験を問わずに短時間で多くの方に参加してもらう体験演奏においては、音名がわからなければ演奏できる内容が絞られてくる。
【先行技術文献】
【特許文献】
【０００５】
【特許文献１】特開２００８−９１２３
【特許文献２】実用新案登録第３２０２９７５号
【発明の概要】
【発明が解決しようとする課題】
【０００６】  手間のかかるミュージックベルの収納や取り出しをより簡単にできるようにし、さらに省スペースで運搬・保管できるようにする。【０００７】  さらに、ミュージックベルを運搬する際の消音効果を目的とするものである。【０００８】  幼児や障がい者、高齢者など、あらゆる層の人がより簡単にミュージックベルの演奏を楽しむことができ、より簡単に保護・収納・運搬・保管ができるようにすることを目的とするものである。
【課題を解決するための手段】
【０００９】  ミュージックベル１本１本を保護する布製のベルカバー（１）を設ける。
筒状の布の上部開口部（１−１）と下部開口部（１−２）の全周に沿って紐を通すことができるように上部通路（１−３）と下部通路（１−４）を設ける。上部開口部（１−１）の上部通路（１−３）には固定紐（１−３Ａ）を通し、下部開口部（１−２）の下部通路（１−４）にはゴム紐（１−４Ａ）を通すようにする。
上部通路（１−３）に通される固定紐（１−３Ａ）は、ハンドル（２−１）の直径サイズで固定させることにより、ベルとハンドルの固定部（２−２）で止まるようにしておく。
下部通路（１−４）に通されるゴム紐（１−４Ａ）が、伸長された時には下部開口部（１−２）がベル下端（２−６）を通すことのできる大きさ以上に拡張し、伸長する力を解放された時には下部開口部（１−２）の直径がベル下端（２−６）の直径よりも小さくなるようにする。
ハンドル（２−１）上部からベルカバー（１）を被せて、下部開口部（１−２）の伸縮を利用してベル（２−３）を覆うようにし、より簡単にミュージックベルにベルカバー（１）を着脱できるようにする。【００１０】  運搬時の騒音は、ベル（２−３）に振り子（２−５）が当たることによって発生する。
ベルカバー（１）がベル下端（２−６）に当接する部分でベルカバー（１）をベル（２−３）の内側に折り込み、下部開口部（１−２）から振り子（２−５）を挿通させ、振り子（２−５）とベル（２−３）が接触することを防止するようにする。【００１１】  ベルカバー（１）の布の色に変化をもたせることで、一見同じ色や形をしたミュージックベルを収納・運搬・保管・演奏しやすくする。
【発明の効果】
【００１２】  本発明になるベルカバー（１）は、ミュージックベル単体での保護が可能になるため（図４）、都合のよい箱やケース、例えば段ボール箱などに省スペースでの収納・運搬が可能となり、さらに、必要な数だけのミュージックベルの収納・運搬も可能になる。
ミュージックベルは、ハンドル（２−１）とベル（２−３）から構成されているが、本発明のベルカバー（１）は、特に傷つきやすいベル（２−３）のみを保護するもので、運搬時にベル同士が接触し傷つくことを軽減できる。【００１３】  このベルカバー（１）は、ミュージックベル本体（２）のハンドル（２−１）部分から被せるだけで簡単に着脱できる。
ハンドル（２−１）は覆われていないので、ベルカバー（１）で覆った状態（図４）でもハンドル（２−１）上部に書かれている音名を確認できる。そのため、その都度必要な音名のミュージックベルだけを特定し取り出すことが容易にできる。【００１４】  布製であるため、色やデザインのバリエーションを広げることができる。
また、固定紐（１−４Ａ）をリボン状にして、デザイン性を高めることもできる（図２）。【００１５】  ベルカバー（１）の装着方法によって、ベルカバー（１）で覆った状態での演奏が可能である（図５）一方、運搬時の消音効果を得ることもでき（図６）、用途・目的によって装着方法を使い分けることができる。【００１６】  図６に示したように、振り子（２−５）とベル（２−３）の間にベルカバー（１）を折り込むことによって、振り子（２−５）とベル（２−３）が布で隔てられ、運搬時の消音の効果が得られる。【００１７】  ベルカバー（１）で覆った状態でも音をならすことができる（図５）ため、演奏する上で識別するために必要数に色分けされたベルカバー（１）で覆っておくことで、外観でミュージックベルの音名を判別し、演奏できるようになる。
つまり、指揮者が曲に合わせてミュージックベルをならすタイミングをベルカバー（１）の色で指示すれば、楽譜が読めない人や初めて演奏する人も、容易に演奏ができるようになる。【００１８】  図５に示したように、ベル（２−３）が布で覆われるため、練習時の騒音抑止にも効果がある。
【図面の簡単な説明】
【００１９】
【図１】本発明のベルカバーの図。
【図２】本発明のベルカバーに固定紐をかけた状態の図。
【図３】代表的なミュージックベルの形態図。
【図４】ミュージックベルに本発明のベルカバーを装着した状態の図。
【図５】ミュージックベルに本発明のベルカバーを装着した状態の図の縦断面図。
【図６】ミュージックベルに本発明のベルカバーを装着し、下部開口部をベルと振り子の間に折り込んだ状態の縦断面図。
【図７】図３・図５・図６の写真図。
【発明を実施するための形態】
【実施例１】
【００２０】  本発明のベルカバー（１）で、図４のようにベル（２−３）を装着し、２７本１セットを収納すると、幅５５０ｍｍ奥行き２００ｍｍ高さ１７０ｍｍ程度の大きさの箱に収納することができ、従来のケースよりも省スペースで収納できた。
２７本全てのミュージックベルが必要でない時は、大きな収納ケースで運搬しなくても、必要な数だけのミュージックベルをさらに小さな箱などに収納して運搬できるようになった。【００２１】  ベルカバー（１）で、図５のようにベル（２−３）で覆うことにより、ベル（２−３）が保護され、ベル（２−３）に傷がつくことが少なくなった。【００２２】  運搬時の消音効果を得られる装着方法を図６で説明する。ベルカバー（１）の縦のサイズを１１５ｍｍにすることで、振り子（２−５）とベル（２−３）の間にベルカバー（１）の布を挟み込む状態にできた。よって振り子（２−５）がベル（２−３）に当たらない状態にできた。【００２３】  図５のように、ベル（２−３）をベルカバー（１）で覆った状態でも振り子（２−５）はベル（２−３）にあたるため、ベルカバー（１）で覆ったままで音をならし演奏することが可能となった。【００２４】  色分けされたベルカバー（１）を用いる演奏の実施方法は以下の通りである。
２音以上の音をならす和音演奏の場合では、あらかじめ和音を構成して同色のベルカバー（１）を装着しておき、指揮者がミュージックベルをふるタイミングをベルカバー（１）の色で指示すれば、簡単に和音演奏ができるようになった。
和音、例えばドとミとソの和音の演奏をする場合、あらかじめドとミとソの音名のミュージックベルに赤のベルカバー（１）を装着しておく。指揮者は３つの音名を指示しなくても、赤と指示すれば、和音演奏ができるようになった。
このように、色による視認性を高めることによって、短時間で多くの人がミュージックベルを演奏できるようになり、集団で演奏するときでも、より円滑な演奏を行うことができるようになった。
数色のベルカバー（１）があることによって、色分けによりバリエーションが広がり、和音演奏もより分かり易くできるようになった。【００２５】  ミュージックベルに同色のベルカバー（１）を装着することで、自分のミュージックベルを認識しやすくなった。
ミュージックベルの演奏は、数人で演奏することが多い。その際でも、ベルカバー（１）を装着しておけば、ベルカバー（１）の色で自分のミュージックベルを容易に認識できるようになった。【００２６】  必要数だけのミュージックベルを運搬できることで運搬時の負担が減ることや、ベルカバー（１）を装着して保護することで不用意な扱いから発生する傷を軽減できる、といった点から、幼児や高齢者や障がい児でもミュージックベルの管理がしやすくなった。
【符号の説明】
【００２５】１      ベルカバー
１−１  上部開口部
１−２  下部開口部
１−３  上部通路
１−３Ａ  固定紐
１−４  下部通路
１−４Ａ  ゴム紐
２      ミュージックベル本体
２−１  ハンドル
２−２  ベルとハンドルの固定部
２−３  ベル
２−４  バネ
２−５  振り子
２−６  ベル下端
【図１】
2017211624.tif 000003
【図２】
2017211624.tif 000004
【図３】
2017211624.tif 000005
【図４】
2017211624.tif 000006
【図５】
2017211624.tif 000007
【図６】
2017211624.tif 000008
【図７】
2017211624.tif 000009